(57)【要約】【課題】汎用性を高めること。【解決手段】バッテリ１００に対して着脱自在に取り付けられ、かつ、バッテリポスト１０１とバッテリポスト１０１に対して電気的に接続されたバッテリ端子１１０とバッテリ端子１１０に対して電気的に接続された電線１２０の電気接続部１２１とを覆う絶縁性のカバー本体１０と、カバー本体１０の外に引き出された電線１２０に対してカバー本体１０を連結させる連結体２０と、を設け、カバー本体１０は、連結体２０が接続される被接続部１１を有し、連結体２０は、カバー本体１０に対する取り付けの向きを少なくとも２方向に変えて被接続部１１に接続することが可能な接続部２１と、カバー本体１０の外に引き出された電線１２０に取り付ける取付部２２と、可撓性を有し、かつ、接続部２１と取付部２２とを繋ぐ連繋部２３と、を備えること。【選択図】図１
2018063779.tif 000002
【特許請求の範囲】
【請求項１】
バッテリに対して着脱自在に取り付けられ、かつ、バッテリポストと前記バッテリポストに対して電気的に接続されたバッテリ端子と前記バッテリ端子に対して電気的に接続された電線の電気接続部とを覆う絶縁性のカバー本体と、
前記カバー本体の外に引き出された前記電線に対して前記カバー本体を連結させる連結体と、
を設け、
前記カバー本体は、前記連結体が接続される被接続部を有し、
前記連結体は、前記カバー本体に対する取り付けの向きを少なくとも２方向に変えて前記被接続部に接続することが可能な接続部と、前記カバー本体の外に引き出された前記電線に取り付ける取付部と、可撓性を有し、かつ、前記接続部と前記取付部とを繋ぐ連繋部と、を備えることを特徴としたバッテリ端子の保護カバー。
【請求項２】
前記被接続部と前記接続部は、互いに着脱自在となるように形成することを特徴とした請求項１に記載のバッテリ端子の保護カバー。
【請求項３】
前記被接続部と前記接続部の内の一方は、少なくとも２つの長孔を交差させた貫通孔が形成された片体状の片部を有し、
前記被接続部と前記接続部の内の他方は、可撓性を持ち、前記片部における前記長孔の双方の短辺の側壁からの押圧力で各々撓みながら前記貫通孔に挿入され、かつ、前記貫通孔への挿入完了と共に撓みの解消方向へと形状が戻る２つの係合脚を有し、
前記係合脚は、前記撓みの解消方向への動きと共に前記貫通孔への挿入方向とは逆向きの動きを前記片部で係止させることが可能な第１被係止部と、前記撓みの解消方向への動きと共に前記片部における前記貫通孔の側壁に係止させることが可能な第２被係止部と、を有することを特徴とした請求項１又は２に記載のバッテリ端子の保護カバー。
【発明の詳細な説明】
【技術分野】
【０００１】
本発明は、バッテリ端子の保護カバーに関する。
【背景技術】
【０００２】
従来、車両に搭載されたバッテリにおいては、バッテリポストやバッテリ端子（バッテリポストに接続されたもの）等に対する周辺部品等の他部品の接触を回避させるべく、そのバッテリポストとバッテリ端子とを覆う保護カバーが取り付けられている。そして、その保護カバーには、連結体がカバー本体に一体成形されている。その連結体は、カバー本体の外に引き出された電線に取り付けられている。バッテリから外れたカバー本体は、連結体の電線に対する取付位置と連結体の形態とに応じた場所で止められ、その場所からの移動が抑制される。例えば、下記の特許文献１及び２には、そのような連結体が脱落を防ぐものとして一体成形された保護カバーについて開示されている。
【先行技術文献】
【特許文献】
【０００３】
【特許文献１】特開２００６−４０７９９号公報
【特許文献２】特開２００６−２９４４７４号公報
【発明の概要】
【発明が解決しようとする課題】
【０００４】
ところで、カバー本体から外に引き出されている電線は、例えば、同じバッテリであっても、また、同一車種であっても、その本数や配索経路が車両の仕様に応じて異なるものとなる場合がある。また、この電線を複数の配索経路で配策していたとしても、連結体は、周辺部品との干渉を避けるために、その複数の配索経路の電線の中から車両の仕様毎に取付対象を変える場合もある。従来は、これらに対応するべく、連結体の形状や配置が異なる保護カバーを車両の仕様毎に用意している。従って、従来の保護カバーは、汎用性という観点に立つならば、改善の余地がある。
【０００５】
そこで、本発明は、汎用性に優れたバッテリ端子の保護カバーを提供することを、その目的とする。
【課題を解決するための手段】
【０００６】
上記目的を達成する為、本発明は、バッテリに対して着脱自在に取り付けられ、かつ、バッテリポストと前記バッテリポストに対して電気的に接続されたバッテリ端子と前記バッテリ端子に対して電気的に接続された電線の電気接続部とを覆う絶縁性のカバー本体と、前記カバー本体の外に引き出された前記電線に対して前記カバー本体を連結させる連結体と、を設け、前記カバー本体は、前記連結体が接続される被接続部を有し、前記連結体は、前記カバー本体に対する取り付けの向きを少なくとも２方向に変えて前記被接続部に接続することが可能な接続部と、前記カバー本体の外に引き出された前記電線に取り付ける取付部と、可撓性を有し、かつ、前記接続部と前記取付部とを繋ぐ連繋部と、を備えることを特徴としている。
【０００７】
ここで、前記被接続部と前記接続部は、互いに着脱自在となるように形成することが望ましい。
【０００８】
また、前記被接続部と前記接続部の内の一方は、少なくとも２つの長孔を交差させた貫通孔が形成された片体状の片部を有し、前記被接続部と前記接続部の内の他方は、可撓性を持ち、前記片部における前記長孔の双方の短辺の側壁からの押圧力で各々撓みながら前記貫通孔に挿入され、かつ、前記貫通孔への挿入完了と共に撓みの解消方向へと形状が戻る２つの係合脚を有し、前記係合脚は、前記撓みの解消方向への動きと共に前記貫通孔への挿入方向とは逆向きの動きを前記片部で係止させることが可能な第１被係止部と、前記撓みの解消方向への動きと共に前記片部における前記貫通孔の側壁に係止させることが可能な第２被係止部と、を有することが望ましい。
【発明の効果】
【０００９】
本発明に係るバッテリ端子の保護カバーは、カバー本体に対する連結体の取り付けの向きを変えることができるので、カバー本体から外に引き出された電線の配索経路に応じた向きでカバー本体に連結体の接続部を取り付けることによって、その電線に連結体の取付部を取り付けることができる。よって、この保護カバーは、例えば、車両の仕様に応じて電線の配索経路が異なる場合であっても、カバー本体に対する連結体の取り付けの向きを変えることで、それぞれの仕様の電線に連結体を取り付けることができ、それぞれの仕様での共用化が可能になる。更に、この保護カバーは、カバー本体に対する連結体の取り付けの向きの可変性により、バッテリの周囲の他部品の配置を鑑みた上でカバー本体に連結体を取り付けることができるので、その他部品に干渉させぬよう取り回して連結体を電線に取り付けることができる。よって、この保護カバーは、例えば、車両の仕様に応じて他部品の配置が異なる場合であっても、カバー本体に対する連結体の取り付けの向きを変えることで、それぞれの仕様で他部品に干渉させぬよう電線に連結体を取り付けることができ、それぞれの仕様での共用化が可能になる。このように、本発明に係るバッテリ端子の保護カバーは、車両の仕様毎の専用品として用意する必要の無い汎用性の高いものとなっている。
【図面の簡単な説明】
【００１０】
【図１】図１は、バッテリ及び組付け前の実施形態における保護カバーを示す斜視図である。
【図２】図２は、実施形態におけるバッテリ端子の保護カバーを示す斜視図であり、カバー本体に対する連結体の第１接続形態を示す図である。
【図３】図３は、実施形態におけるバッテリ端子の保護カバーを示す斜視図であり、カバー本体に対する連結体の第２接続形態を示す図である。
【図４】図４は、カバー本体と連結体とを分離させた状態を示す保護カバーの分解斜視図である。
【図５】図５は、カバー本体の被接続部を示す平面図である。
【図６】図６は、連結体を示す側面図である。
【図７】図７は、連結体を図６の矢印Ａの方向に見た図である。
【図８】図８は、連結体を図６の矢印Ｂの方向に見た図である。
【図９】図９は、第１接続形態の保護カバーとこの保護カバーが組み付けられたバッテリとを示す斜視図である。
【図１０】図１０は、図９の矢印Ｃ１の方向に見た第１接続形態の保護カバーとバッテリとを示す図である。
【図１１】図１１は、図９の矢印Ｃ２の方向に見た第１接続形態の保護カバーとバッテリとを示す図である。
【図１２】図１２は、第１接続形態の保護カバーにおいて、カバー本体がバッテリから取り外された状態の一例を示す図である。
【図１３】図１３は、第２接続形態の保護カバーとこの保護カバーが組み付けられたバッテリとを示す図である。
【発明を実施するための形態】
【００１１】
以下に、本発明に係るバッテリ端子の保護カバーの実施形態を図面に基づいて詳細に説明する。尚、この実施形態によりこの発明が限定されるものではない。
【００１２】
［実施形態］
本発明に係るバッテリ端子の保護カバーの実施形態の１つを図１から図１３に基づいて説明する。
【００１３】
図１から図３の符号１は、本実施形態の保護カバーを示す。その保護カバー１は、バッテリ１００に設けられているバッテリポスト１０１と、この周辺でバッテリポスト１０１に対して電気的に接続されたバッテリ端子１１０等の導体部分が剥き出しの部品と、を保護するように覆い隠すものであり、そのバッテリポスト１０１やバッテリ端子１１０等に対する周辺部品等の他部品の接触を回避させる。この保護カバー１は、その他部品との接触の回避に伴い、主に、そのバッテリポスト１０１やバッテリ端子１１０等の絶縁保護を図っている。
【００１４】
この保護カバー１は、互いに別体品として成形されたカバー本体１０と連結体２０とを備える。
【００１５】
先ずは、カバー本体１０について説明する。
【００１６】
カバー本体１０は、バッテリポスト１０１とバッテリ端子１１０とバッテリ端子１１０に対して電気的に接続された電線１２０の電気接続部１２１（図１）とを覆うように、合成樹脂等の絶縁性材料で成形する。このカバー本体１０は、内部空間を成す様々な壁部で形成されたものであり、バッテリ１００に取り付けられた際、その内部空間にバッテリポスト１０１とバッテリ端子１１０と電線１２０の電気接続部１２１とが配置されるように成形する。
【００１７】
バッテリ端子１１０は、金属等の導電性材料で成形されたものであり、バッテリポスト１０１に対して物理的且つ電気的に接続される。例えば、このバッテリ端子１１０は、金属板を母材とする２つの端子部材（図示略）の組み合わせであり、これらを物理的且つ電気的に接続させることで一体化させている。このバッテリ端子１１０には、バッテリポスト１０１と同じ向きに突出させた雄ネジ部材１１１が設けられている（図１）。その雄ネジ部材１１１は、雌ネジ部材１５１と螺合され、２つの端子部材を共締めすることで、これらを物理的且つ電気的に接続させる。また、電線１２０は、電気接続部１２１がバッテリ端子１１０に対して物理的且つ電気的に直接接続される場合もあれば、電気接続部１２１がバッテリ端子１１０に対して導電部材（図示略）を介して電気的に間接接続される場合もある。このため、後者の場合には、その導電部材についてもバッテリポスト１０１等と共に覆うことができるようにカバー本体１０を成形する。電線１２０は、カバー本体１０の外に引き出される。
【００１８】
例えば、この例示のバッテリ１００には、正極側に電源接続システム１３０が取り付けられている（図１）。電源接続システム１３０とは、バッテリポスト１０１と電線１２０との間に介在し、これらに対して電気的に接続される少なくとも１つの電子部品（図示略）を備えたものである。その電子部品は、先に示した導電部材そのものであったり、導電部材を有するものであったりする。例えば、電源接続システム１３０は、電子部品を有するバッテリ用接続ユニット１４０を少なくとも１つ備えている。
【００１９】
そのバッテリ用接続ユニット１４０とは、バッテリ１００に接続される接続ユニットのことであり、電子部品と、この電子部品を支持する支持部材１４１（図１）と、を備える。支持部材１４１は、合成樹脂等の絶縁性材料で成形されたものであり、電子部品を内方で支持する。この例示のバッテリ用接続ユニット１４０は、ヒューズユニットとして構成されており、電子部品としての保護回路部品（ヒューズ回路体）を備えている。ヒューズ回路体は、バッテリ端子１１０側と電線１２０側との間の通電経路上に可溶体を有する。このヒューズ回路体は、バッテリ端子１１０に共締めされ、このバッテリ端子１１０に対して物理的且つ電気的に接続される。このために、例えば、後述する保持部材１３１には、バッテリポスト１０１と同じ向きに突出させた少なくとも１本の雄ネジ部材１３１ａを設けている。ヒューズ回路体とバッテリ端子１１０は、各々の貫通孔（図示略）に雄ネジ部材１３１ａを挿通させ、この雄ネジ部材１３１ａに雌ネジ部材１５１を螺合させることによって共締めする。更に、このヒューズ回路体は、雄ネジ部材１４２と雌ネジ部材１５２とを螺合させることによって電線１２０の端末の端子１２５に共締めされ、その電線１２０に対して電気的に接続される。その端子１２５は、金属等の導電性材料で成形されたものであり、電線１２０の電気接続部１２１に対して、圧着加工等で物理的且つ電気的に接続されている。この例示では、このバッテリ用接続ユニット１４０が２つ設けられている。以下、必要に応じて、その２つのバッテリ用接続ユニット１４０の内の一方を第１バッテリ用接続ユニット１４０Ａと称し、その内の他方を第２バッテリ用接続ユニット１４０Ｂと称する。この電源接続システム１３０においては、バッテリ端子１１０の上に第１バッテリ用接続ユニット１４０Ａの電子部品（ヒューズ回路体）が積層され、その電子部品の上に第２バッテリ用接続ユニット１４０Ｂの電子部品（ヒューズ回路体）が積層されている。尚、図１では、第１バッテリ用接続ユニット１４０Ａに関わる雌ネジ部材１５２の図示を省略している。
【００２０】
電源接続システム１３０は、そのバッテリ用接続ユニット１４０を保持する保持部材１３１を備えている（図１）。その保持部材１３１は、合成樹脂等の絶縁性材料で成形されたものであり、バッテリ端子１１０についても保持できるように形成されている。この保持部材１３１は、固定部材１３２等によってバッテリ１００に取り付けられる。
【００２１】
この例示のカバー本体１０は、電源接続システム１３０を覆うことで、バッテリポスト１０１とバッテリ端子１１０と電線１２０の電気接続部１２１とが覆い隠されるように成形している。このカバー本体１０は、バッテリポスト１０１が嵌め込まれる嵌合部（図示略）、電源接続システム１３０の保持部材１３１との間のロック機構１６０（図１）等によって、バッテリ１００に対して着脱自在に取り付ける。例えば、ロック機構１６０は、保持部材１３１に設けた第１係合部としての突出部１６１と、この突出部１６１が挿入される貫通孔１６２ａを有し、取り付けたカバー本体１０が保持部材１３１から外れないように突出部１６１を係止する第２係合部としての係止片部１６２（図２及び図３）と、を備えている。
【００２２】
続いて、連結体２０について説明する。
【００２３】
連結体２０とは、カバー本体１０の外に引き出された電線１２０に対してカバー本体１０を連結させるものである。このため、カバー本体１０は、連結体２０が接続される被接続部１１を有している。一方、連結体２０は、その被接続部１１に接続する接続部２１と、カバー本体１０の外に引き出された電線１２０に取り付ける取付部２２と、その接続部２１と取付部２２とを繋ぐ連繋部２３と、を有している。連結体２０は、合成樹脂等の絶縁性材料で成形する。また、この連結体２０においては、連繋部２３が可撓性を有しており、接続部２１と取付部２２との互いの位置関係を変えることができる。
【００２４】
被接続部１１と接続部２１は、カバー本体１０に対する連結体２０の取り付けの向きを少なくとも２方向に変えて接続できるように形成する。例えば、被接続部１１と接続部２１の内の一方は、貫通孔が形成された片体状の片部を有するものとして形成する。また、被接続部１１と接続部２１の内の他方は、その貫通孔に挿入される２つの係合脚を有するものとして形成する。この保護カバー１においては、その貫通孔と２つの係合脚の形状によって、カバー本体１０に対する連結体２０の取り付けの向きを少なくとも２方向に変えて接続できるようにする。その具体例を以下に示す。ここでは、被接続部１１に貫通孔を設けると共に、接続部２１に係合脚を設ける。
【００２５】
この例示の被接続部１１は、貫通孔１１ａ（図４及び図５）が形成された片部そのものであり、カバー本体１０の外壁面から突出させた矩形の片体形状のものとして形成している。この被接続部１１は、カバー本体１０に一体成形している。その貫通孔１１ａは、少なくとも２つの長孔を交差させたが如き形状のものである。その長孔は、長角孔でもよく、長丸孔でもよい。例えば、この貫通孔１１ａは、同一形状の複数の長孔を重心位置で互いに角度を付けて配置したものに相当する。この例示の貫通孔１１ａは、２つの長角孔を重心位置で互いに９０度ずらして配置したものであり、十文字を成している。
【００２６】
この例示の接続部２１は、矩形の平板状の基部２１ａと、この基部２１ａの一方の平面から突出させた錨型のクリップ（所謂アンカークリップ）２１ｂと、を有する（図４、図６及び図７）。クリップ２１ｂは、基部２１ａの一方の平面から突出させた主軸２１ｃと、この主軸２１ｃの突出側の先端から延出させた２つの係合脚２１ｄと、を有する。係合脚２１ｄは、その主軸２１ｃの突出方向とは逆向きで且つ主軸２１ｃから徐々に離れていくように、主軸２１ｃの先端から延出させる。この係合脚２１ｄは、可撓性を有しており、主軸２１ｃ側に向けた力を加えることで撓み、主軸２１ｃに近づいていくことができる。それぞれの係合脚２１ｄは、その撓みの向きが互いに逆向きとなるよう向かい合わせに配置する。
【００２７】
係合脚２１ｄは、被接続部１１における長孔の短辺の側壁１１ｂ（図５）からの押圧力で撓みながら貫通孔１１ａに挿入される。被接続部１１と接続部２１との間においては、そのような撓みが弾性域で行われるように、貫通孔１１ａとクリップ２１ｂの互いの形状や大きさを決める。クリップ２１ｂにおいて、それぞれの係合脚２１ｄは、互いに向かい合う側壁１１ｂによって押圧されながら撓んでいく。更に、この係合脚２１ｄは、貫通孔１１ａへの挿入完了と共に撓みの解消方向へと形状を戻させる。このため、被接続部１１と接続部２１との間においては、そのような撓みの解消方向への動きが係合脚２１ｄで行われるように、貫通孔１１ａとクリップ２１ｂの互いの形状や大きさを決める。
【００２８】
この係合脚２１ｄは、その撓みの解消方向への動きと共に貫通孔１１ａへの挿入方向とは逆向きの動きを被接続部１１（片部）で係止させることが可能な第１被係止部２１ｄ１を有している（図６及び図８）。その第１被係止部２１ｄ１は、係合脚２１ｄの貫通孔１１ａへの挿入完了と共に被接続部１１（片部）の平面（基部２１ａとの対向平面とは逆側のもの）と向かい合うように配置されるので、その平面で係止させることができる。従って、連結体２０は、挿入した貫通孔１１ａからのクリップ２１ｂの抜けが抑えられるので、被接続部１１に保持させ続けることができる。
【００２９】
更に、この係合脚２１ｄは、その撓みの解消方向への動きと共に被接続部１１（片部）における貫通孔１１ａの側壁に係止させることが可能な第２被係止部２１ｄ２を有している（図６及び図８）。その第２被係止部２１ｄ２は、係合脚２１ｄの貫通孔１１ａへの挿入完了と共に貫通孔１１ａの側壁と向かい合うように配置される。例えば、この第２被係止部２１ｄ２は、被接続部１１における長孔の短辺の側壁１１ｂと向かい合う壁部と、被接続部１１における長孔の長辺の側壁と向かい合う側壁部と、を有している。対向させたそれぞれの壁同士の間隔は、挿入方向を軸とするクリップ２１ｂの回動が抑制されるように設定する。これにより、連結体２０は、クリップ２１ｂの貫通孔１１ａへの挿入状態を保つことができるので、カバー本体１０に対する接続部２１の位置ずれを抑えることができる。
【００３０】
ここで例示しているクリップ２１ｂは、貫通孔１１ａへの挿入完了後、それぞれの係合脚２１ｄを主軸２１ｃ側に撓ませることによって、その貫通孔１１ａから抜け出ることができる。つまり、被接続部１１（片部）と接続部２１は、互いに着脱自在となるように形成されている。従って、連結体２０は、仮にカバー本体１０に対する取り付けの向きを作業者が間違ったとしても、正しい向きに付け直すことができる。
【００３１】
例えば、この例示の被接続部１１（片部）は、カバー本体１０における２つの直交外壁面（第１及び第２の外壁面１０ａ，１０ｂ）から突出させており、４つの辺の内の２つが塞がれている（図４及び図５）。このため、この例示では、被接続部１１（片部）に対して、連結体２０を２つの向きに取り付けることができる。その連結体２０は、図２に示す第１接続形態でカバー本体１０に取り付けることもでき、この第１接続形態に対して９０度ずらした第２接続形態（図３）でカバー本体１０に取り付けることもできる。尚、この被接続部１１（片部）は、例えば、カバー本体１０における１つの外壁面から突出させるように配置することで、連結体２０の取り付けの向きを３方向に変えることが可能である。また、この被接続部１１（片部）は、例えば、脚部を介してカバー本体１０の外壁面から突出させ、４つの辺の周囲にカバー本体１０の外壁面を存在させぬよう配置することで、連結体２０の取り付けの向きを４方向に変えることも可能である。
【００３２】
取付部２２は、可撓性を持つＵ字状の主体２２ａを有している（図６から図８）。その主体２２ａにおいては、Ｕ字の開口から内方へと電線１２０が挿入される。この主体２２ａにおける２枚の片体２２ａ１の自由端側には、互いに向かい合わせた爪部２２ｂを設けている（図８）。それぞれの爪部２２ｂは、主体２２ａにおけるＵ字の開口を塞ぐように、それぞれの片体２２ａ１から突出させている。その爪部２２ｂ同士の間隔は、主体２２ａの内方に挿入される電線１２０の最外径よりも狭くなるように設定する。
【００３３】
この取付部２２は、主体２２ａにおけるＵ字の開口側で２つの爪部２２ｂを電線１２０に押し付けながら、その電線１２０を主体２２ａの内方に挿入させる。この取付部２２においては、その電線１２０への爪部２２ｂの押し付けに伴い、それぞれの片体２２ａ１が互いの間隔を広げながら撓んでいき、爪部２２ｂ同士の間隔が電線１２０の最外径となった際に電線１２０が主体２２ａの内方に入り込む。そして、この取付部２２は、電線１２０の挿入が完了した際に、元の形状に戻る。取付部２２は、このようにして電線１２０に取り付けられ、それぞれの片体２２ａ１の間隔を広げなければ、その電線１２０の挿入状態を保ち続けることができる。
【００３４】
連繋部２３は、矩形の薄板状に形成された長尺物であり、その長手方向における両端に接続部２１と取付部２２とが各々一体成形されている。この例示の連繋部２３は、捻れ等も含めた様々な方向へと撓ませることができるように形成している。
【００３５】
ここで、このバッテリ１００においては、第１バッテリ用接続ユニット１４０Ａと第２バッテリ用接続ユニット１４０Ｂから各々２本ずつの電線１２０が互いに異なる配索経路で引き出されている。例えば、連結体２０は、第２バッテリ用接続ユニット１４０Ｂの電線１２０に取り付ける場合、先に示した第１接続形態でカバー本体１０に取り付けておき、保護カバー１をバッテリ１００に取り付けた後、その電線１２０に取付部２２を取り付ける（図９から図１１）。
【００３６】
このようにバッテリ１００に対して取り付けられた保護カバー１は、例えば、電源接続システム１３０のメンテナンスを行う場合、カバー本体１０をバッテリ１００から取り外す（図１２）。その際、カバー本体１０は、連結体２０を介して電線１２０に繋がれており、従来のように所定の位置に止めておくことができる。従って、この保護カバー１は、カバー本体１０がバッテリ１００から外れた状態のときに、作業者の手指が届かない位置までの落下が抑制されるので、カバー本体１０の元の位置への装着作業が容易なものとなる。
【００３７】
一方、連結体２０は、第１バッテリ用接続ユニット１４０Ａの電線１２０に取り付ける場合、先に示した第２接続形態でカバー本体１０に取り付けておき、保護カバー１をバッテリ１００に取り付けた後、その電線１２０に取付部２２を取り付ける（図１３）。
【００３８】
以上示したように、本実施形態の保護カバー１は、カバー本体１０に対する連結体２０の取り付けの向きを変えることができるので、カバー本体１０から外に引き出された電線１２０の配索経路に応じた向きでカバー本体１０に連結体２０の接続部２１を取り付けることによって、その電線１２０に連結体２０の取付部２２を取り付けることができる。よって、この保護カバー１は、例えば、車両の仕様に応じて電線１２０の配索経路が異なる場合であっても、カバー本体１０に対する連結体２０の取り付けの向きを変えることで、それぞれの仕様の電線１２０に連結体２０を取り付けることができ、それぞれの仕様での共用化が可能になる。更に、この保護カバー１は、カバー本体１０に対する連結体２０の取り付けの向きの可変性により、バッテリ１００の周囲の他部品の配置を鑑みた上でカバー本体１０に連結体２０を取り付けることができるので、その他部品に干渉させぬよう取り回して連結体２０を電線１２０に取り付けることができる。よって、この保護カバー１は、例えば、車両の仕様に応じて他部品の配置が異なる場合であっても、カバー本体１０に対する連結体２０の取り付けの向きを変えることで、それぞれの仕様で他部品に干渉させぬよう電線１２０に連結体２０を取り付けることができ、それぞれの仕様での共用化が可能になる。このように、本実施形態の保護カバー１は、車両の仕様毎の専用品として用意する必要が無く、汎用性が高いので、例えば、車両の組み立てに際しての部品の管理が簡素化され、結果として、車両の原価を低減させることができる。
【００３９】
また、本実施形態の保護カバー１は、カバー本体１０と連結体２０とを各々別の金型で成形することができる。このため、この保護カバー１は、従来のようにカバー本体と連結体とが一体成形されている場合と比べて、金型の小型化が可能になる。更に、この保護カバー１は、薄肉部分（連繋部２３）を有する連結体２０をカバー本体１０とは別の金型で成形することができるので、カバー本体１０の金型内での溶融樹脂材料の流動性を向上させることができ、また、それぞれの金型の形状や成形条件の簡素化を図ることができる。このため、この保護カバー１は、従来と比して、歩留まりの向上が可能になる。
【符号の説明】
【００４０】
１  保護カバー
１０  カバー本体
１１  被接続部
１１ａ  貫通孔
１１ｂ  側壁
２０  連結体
２１  接続部
２１ａ  基部
２１ｄ  係合脚
２１ｄ１  第１被係止部
２１ｄ２  第２被係止部
２２  取付部
２３  連繋部
１００  バッテリ
１０１  バッテリポスト
１１０  バッテリ端子
１２０  電線
１２１  電気接続部
【図１】
2018063779.tif 000003
【図２】
2018063779.tif 000004
【図３】
2018063779.tif 000005
【図４】
2018063779.tif 000006
【図５】
2018063779.tif 000007
【図６】
2018063779.tif 000008
【図７】
2018063779.tif 000009
【図８】
2018063779.tif 000010
【図９】
2018063779.tif 000011
【図１０】
2018063779.tif 000012
【図１１】
2018063779.tif 000013
【図１２】
2018063779.tif 000014
【図１３】
2018063779.tif 000015